(57)【特許請求の範囲】
【請求項１】
試薬試験片（１４）の存在を自動的に検出し、該試薬試験片（１４）の存在を検出した後で該試薬試験片（１４）を検査するための装置において、
該装置に関係する試薬試験片受入れ区域（１２）における試薬試験片（１４）の存在を自動的に検出するようにした検出システムであって、
該試薬試験片受入れ区域（１２）を照射するようにした発光装置（３０）と、
該試薬試験片受入れ区域（１２）が該発光装置（３０）によって照射されているとき該試薬試験片受入れ区域（１２）からの光を受け、該試薬試験片受入れ区域（１２）からの検出された光の量に関係する検出信号を発するようにした検出装置（３２）と、
該検出信号の大きさに基づいて、試薬試験片（１４）が該試薬試験片受入れ区域（１２）に存在するかどうかを自動的に決定するようにした回路（１２０又は１４４、１４８）と、を含む検出システムと、
該回路（１２０又は１４４、１４８）が試薬試験片受入れ区域（１２）における該試薬試験片（１４）の存在を決定した後、該試薬試験片（１４）を該試薬試験片受入れ区域（１２）から該試薬試験片受入れ区域（１２）とは別の検査区域へと自動的に移すようにした運搬システム（１８及び／又は８０）と、
該検査区域で該試薬試験片（１４）を照射する光源（６４又は６８）と、
該試薬試験片（１４）が該光源（６４又は６８）によって照射されているとき該試薬試験片（１４）からの光を受けるようにした検出器（６６又は７０）と、
を含み、
該試薬試験片受入れ区域（１２）がその幅方向に沿って複数の該試薬試験片（１４）を受け入れるように適合され、
該発光装置（３０）が、該試薬試験片受入れ区域（１２）の幅方向に沿って配置された別々の部分を照射するように離間した複数の発光ダイオードを含み、
該光検出装置（３２）が、試薬試験片受入れ区域（１２）の幅方向に沿って配置された複数の別々の部分からの光を検出するように離間した複数の光検出器を含む、装置。
【請求項２】
該発光ダイオードが周期的に起動されて、該試薬試験片受入れ区域（１２）の幅方向に沿って配置された該別々の部分を周期的に照射する、請求項１記載の装置。
【請求項３】
該発光装置（３０）が、該試薬試験片受入れ区域（１２）の幅方向に沿って配置された異なる部分を異なるときに順次照射するようにしている、請求項１記載の装置。
【請求項４】
該発光装置（３０）が、該試薬試験片（１４）の幅の少なくとも５倍の該幅を有する試薬試験片受入れ区域（１２）を照射するようにしている、請求項１記載の装置。
【請求項５】
該検出器（６６又は７０）が、それぞれが異なる波長の光を検出する４個の検出器を含む、請求項１記載の装置。
【請求項６】
該回路（１２０又は１４４、１４８）が、該検出信号の大きさのしきい値との比較に基づいて、試薬試験片（１４）が該試薬試験片受入れ区域（１２）に存在するかどうかを自動的に決定するようにしている、請求項１記載の装置。
【請求項７】
該回路（１２０又は１４４、１４８）が、マイクロプロセッサ（１２２）を有する制御装置（１２０）を含む、請求項１記載の装置。
【請求項８】
試薬試験片（１４）の存在を自動的に検出し、該試薬試験片（１４）の存在を検出した後で該試薬試験片（１４）を検査するための装置において、
該装置に関係する試薬試験片受入れ区域（１２）における試薬試験片（１４）の存在を自動的に検出するようにした検出システムであって、
該試薬試験片受入れ区域（１２）を照射するようにした発光装置（３０）と、
該試薬試験片受入れ区域（１２）が該発光装置（３０）によって照射されているとき該試薬試験片受入れ区域（１２）からの光を受け、該試薬試験片受入れ区域（１２）からの検出された光の量によって増加する大きさを有する検出信号を発するようにした検出装置（３２）と、
該検出信号の大きさがしきい値を超える場合に、試薬試験片（１４）が該試薬試験片受入れ区域（１２）に存在することを自動的に決定するようにした回路（１２０又は１４４、１４８）と、を含む検出システムと、
該回路（１２０又は１４４、１４８）が試薬試験片受入れ区域（１２）における該試薬試験片（１４）の存在を決定した後、該試薬試験片（１４）を該試薬試験片受入れ区域（１２）から該試薬試験片受入れ区域（１２）とは別の検査区域へと自動的に移すようにした運搬システム（１８及び／又は８０）と、
該検査区域で該試薬試験片（１４）を照射する光源（６４又は６８）と、
該試薬試験片（１４）が該光源（６４又は６８）によって照射されているとき該試薬試験片（１４）からの光を受けるようにした検出器（６６又は７０）と、を含み、
該試薬試験片受入れ区域（１２）がその幅方向に沿って複数の該試薬試験片（１４）を受け入れるように適合され、
該発光装置（３０）が、該試薬試験片受入れ区域（１２）の幅方向に沿って配置された別々の部分を照射するように離間した複数の発光ダイオードを含み、
該光検出装置（３２）が、試薬試験片受入れ区域（１２）の幅方向に沿って配置された複数の別々の部分からの光を検出するように離間した複数の光検出器を含む、
ことを特徴とする装置。
【請求項９】
該発光ダイオードが周期的に起動されて、該試薬試験片受入れ区域（１２）の幅方向に沿って配置された該別々の部分を周期的に照射する、請求項８記載の装置。
【請求項１０】
該発光装置（３０）が、該試薬試験片受入れ区域（１２）の幅方向に沿って配置された異なる部分を異なるときに順次照射するようにしている、請求項８記載の装置。
【請求項１１】
該発光装置（３０）が、該試薬試験片（１４）の幅の少なくとも５倍の該幅を有する試薬試験片受入れ区域（１２）を照射するようにしている、請求項８記載の装置。
【請求項１２】
該回路（１２０又は１４４、１４８）が、該検出信号の大きさのしきい値との比較に基づいて、試薬試験片（１４）が該試薬試験片受入れ区域（１２）に存在するかどうかを自動的に決定するようにしている、請求項８記載の装置。
【発明の詳細な説明】
【０００１】
【発明の属する技術分野】
本発明は、分析される体液のサンプルに対して試験を実施するための装置及び方法に関し、より具体的には、試薬試験片の自動検出のための分光光度計及び方法に関する。
【０００２】
【従来の技術】
種々の医療診断目的にとって、分光光度計を使用して体液のサンプルを分析して、たとえば人の尿の色を測定することが有用である。従来の分光光度計は、白い非反応性のパッド上に配置された尿サンプルの色を、そのパッドに光を照射し、そのパッドから、それぞれが異なる波長の可視光線に対応する大きさを有する多数の反射率値を読むことによって測定する。そして、赤、緑及び青の反射率信号の相対的な大きさに基づいて、パッド上の尿の色を測定することができる。
【０００３】
従来の分光光度計は、多数の異なる試薬パッドが配置されている試薬試験片を使用する多数の異なる尿分析試験を実施するために使用することができる。各試薬パッドには、尿中の特定のタイプの成分、たとえば白血球又は赤血球の存在に応答して変色を起こす異なる試薬が設けられている。このような試薬試験片は、１０種の異なるタイプの試薬パッドを有することもできる。
【０００４】
従来の分光光度計では、試薬試験片を検査する過程は、試薬試験片を尿サンプルに浸漬し、過剰な尿を試薬試験片から吸い取り、試薬試験片を分光光度計の指定の位置に配置し、スタートボタンを押して分光光度計に試薬試験片の自動処理及び検査を開始させることによって実施される。
【０００５】
Khojaらへの米国特許第４，６８９，２０２号明細書は、試薬試験片を配置することができる区域と、試薬試験片を一度に１個ずつ配置区域から検査区域に自動的に移すブロッタアーム１０８とを有する試薬試験片読取り計を開示している。Khojaらの特許の１１欄に記載されているように、ブロッタアーム１０８の自動的な移動は、試験片前進部材１１６の周期動に同期化される。
【０００６】
この特許の譲受け人によって「Clinitek 200」の名称の下で市販されている、Khojaらの特許の開示にほぼしたがって設計された従来技術の試薬試験片読取り計では、ブロッタアームが、試薬試験片が配置されている区域を、試薬試験片が存在するかしないかにかかわらず、約１０秒に１回の速度で周期的に払拭し、ブロッタアームが払拭するごとに機器がピーッという音を発するものであった。約２分経っても試薬試験片が配置区域に配置されなければ、ブロッタアームはその自動的な払拭動を止めるものであった。その後、ブロッタアームの自動払拭動を再開するためには、使用者がスタートボタンを手で押さなければならなかった。
【０００７】
【課題を解決するための手段】
一つの態様では、本発明は、体液のサンプルがその上に付された試薬試験片の存在を自動的に検出し、試薬試験片の存在を検出した後で試薬試験片を検査するための装置に関する。装置は、試薬試験片受入れ区域における試薬試験片の存在を自動的に検出するようにした検出システムと、試薬試験片受入れ区域における試薬試験片の存在を検出した後で試薬試験片を照射するようにした光源と、試薬試験片が光源によって照射されているとき試薬試験片からの光を受けるようにした検出器とを含む。検出システムには、試薬試験片受入れ区域を照射するようにした発光装置と、試薬試験片受入れ区域が発光装置によって照射されているとき試薬試験片受入れ区域からの光を受け、試薬試験片受入れ区域からの検出された光の量に対応する検出信号を発するようにした検出装置と、検出信号の大きさに基づいて、試薬試験片が試薬試験片受入れ区域に存在するかどうかを自動的に決定するようにした回路とが設けられている。
【０００８】
発光装置は、試薬試験片受入れ区域の別々の部分を照射するように離間した複数の発光ダイオードの形態で設けてもよく、光検出装置は、試薬試験片受入れ区域の複数の別々の部分からの光を検出するように離間した複数の光検出器を含んでいてもよい。発光装置は、試薬試験片受入れ区域の異なる部分を異なるときに逐次照射するように設計してもよく、発光装置はまた、試薬試験片の幅の少なくとも約５倍の幅を有する試薬試験片受入れ区域を照射するように設計してもよい。
【０００９】
制御装置の形態であってもよい検出回路は、検出信号の大きさとしきい値と比較に基づいて、試薬試験片が試薬試験片受入れ区域に存在するかどうかを自動的に決定するように設計することができる。
【００１０】
本発明はまた、体液のサンプルがその上に付された試薬試験片を自動的に処理するための、試薬試験片受入れ区域における試薬試験片の存在を自動的に検出するように設計された検出システムと、試薬試験片を試薬試験片受入れ区域で検出した後で試薬試験片からの検出された光の量に対応する信号を記憶する記憶装置とを設けられた装置に関する。検出システムは、試薬試験片受入れ区域を照射するようにした発光装置と、試薬試験片受入れ区域が発光装置によって照射されているとき試薬試験片受入れ区域からの光を受け、試薬試験片受入れ区域からの検出された光の量に対応する検出信号を発するようにした検出装置と、検出信号の大きさに基づいて、試薬試験片が試薬試験片受入れ区域に存在するかどうかを自動的に決定するようにした回路とを含む。
【００１１】
装置はまた、試薬試験片の存在を回路によって自動的に検出した後で試薬試験片を試薬試験片受入れ区域から試薬試験片検査位置へと自動的に移すようにした運搬システムを含んでいてもよい。運搬システムは、試薬試験片の側面と接触して試薬試験片を試薬試験片受入れ区域から試薬試験片検査位置へと押しやる横移動アームを含んでいてもよい。
【００１２】
もう一つの態様では、本発明は、体液のサンプルがその上に付された試薬試験片を自動的に処理するための、（ａ）試薬試験片受入れ区域における試薬試験片の存在を自動的に検出するステップと、（ｂ）ステップ（ａ）で試薬試験片の存在を自動的に検出した後、試薬試験片を試薬試験片検査位置に自動的に移すステップと、（ｃ）試薬試験片が試薬試験片検査位置にあるとき試薬試験片を照射するステップと、（ｄ）試薬試験片が試薬試験片検査位置で照射されているとき試薬試験片から受ける光を検出し、それから照射信号を発するステップと、（ｅ）照射信号に対応する信号を記憶装置に記憶するステップとを含む方法に関する。
【００１３】
ステップ（ａ）は、（ａ１）第一の時間に試薬試験片受入れ区域の第一の部分を照射するステップと、（ａ２）ステップ（ａ１）で試薬試験片受入れ区域の第一の部分が照射されているとき試薬試験片受入れ区域の第一の部分から受ける光を検出するステップと、（ａ３）第二の時間に試薬試験片受入れ区域の第二の部分を照射するステップと、（ａ４）ステップ（ａ３）で試薬試験片受入れ区域の第二の部分が照射されているとき試薬試験片受入れ区域の第二の部分から受ける光を検出するステップとを含んでいてもよい。
【００１４】
ステップ（ａ）はまた、（ａ１）試薬試験片受入れ区域の一部を照射するステップと、（ａ２）ステップ（ａ１）で試薬試験片受入れ区域の一部が照射されているとき試薬試験片受入れ区域のその一部からの光を検出し、検出した光の量に対応する大きさを有する照射信号を発するステップと、（ａ３）照射信号をしきい値と比較して、試薬試験片が試薬試験片受入れ区域のその一部に存在するかどうかを決定するステップとを含んでいてもよい。
【００１５】
試薬試験片が存在するときだけ、トランスファアームの形態であってもよい運搬システムが、最後に配置された試薬試験片を受入れ区域から検査区域へと自動的に移すことができ、それにより、トランスファアームが、試薬試験片が存在するかどうかにかかわらず受入れ区域を連続的に払拭する（装置の使用者を悩ますかもしれない）必要性を省くため、試薬試験片の自動検出は有利である。
【００１６】
図面を参照しながら記載する好ましい実施態様の詳細な説明を考察すると、本発明の特徴及び利点が当業者に明らかになるであろう。
【００１７】
【発明の実施の形態】
図１は、試薬試験片に対して種々の試験、たとえば尿分析試験を実施するための分光光度計１０を示す。分光光度計１０は、試薬試験片１４を配置することができる受入れ区域１２と、ハウジング部１６によって覆われている試薬試験片検査区域とを有している。試薬試験片受入れ区域１２は、横に移動可能なトランスファアーム１８とハウジング部１６の左側面との間に位置している。試薬試験片１４は、試薬試験片支持台２２の左側に形成された多数の比較的薄い壁部２０によって支持される。
【００１８】
分光光度計１０を作動させるには、試薬試験片１４を受入れ区域１２のどこかに配置することができる。分光光度計１０は、試薬試験片１４の存在を自動的に検出し、そのように検出すると、トランスファアーム１８を図１における左から右に移動させ、それにより、試薬試験片１４を受入れ区域１２からハウジング部１６の中に位置する検査区域に自動的に移す。分光光度計１０は、分光光度計１０の動作に関連する種々のメッセージを表示するための表示部２３を含む。
【００１９】
図１、４及び６に示すように、分光光度計１０に使用される試薬試験片１４は、多数の試薬パッド２６が固定されている薄い非反応性基材２４を有している。各試薬パッド２６は、反応性試薬で含浸された比較的吸収性の材料からなり、各試薬及び試薬パッド２６が、実施される特定の試験に対応する。尿分析試験を実施するとき、試験は、たとえば、尿中の白血球の試験、尿pHの試験、尿中の血液の試験などを含むことができる。各試薬パッド２６が尿サンプルと接触すると、パッドは、使用される試薬及び尿サンプルの特性に依存して、ある期間にわたって色を変化させる。試薬試験片１４は、たとえば、Bayer社から市販されているMultistix（登録商標）試薬試験片であることができる。
【００２０】
機械的構造
図２は、分光光度計１０の内部機械構造の斜視図である。図２を参照すると、分光光度計１０は発光装置３０を含み、この装置は、５個の発光ダイオード（ＬＥＤ）３０ａ〜３０ｅの形態で設けることができ、これらの発光ダイオードは、Hewlett Packard社から市販されている狭照形の高出力ＬＥＤの形態であることができる。ＬＥＤ３０ａ〜３０ｅは、それぞれが試薬試験片受入れ区域１２の別々の部分を照射するよう、互いに離間していてもよい。分光光度計１０は検出装置３２を含み、この装置は、それぞれがＬＥＤ３０ａ〜３０ｅの２個の間に配置される４個の光検出器３２ａ〜３２ｄの形態にあることができる。光検出器３２ａ〜３２ｄは、受入れ区域１２の、ＬＥＤ３０ａ〜３０ｅによって照射される部分から受ける光を検出するように配置されている。
【００２１】
図２の左側部分に示すように、分光光度計１０は、モータ（図示せず）によって制御可能に駆動される回転軸３６に接続された中央部を有するピボットアーム３４を含む。ピボットアーム３４の端部は、トランスファアーム１８（図１）が接続されているトランスファアーム支持部材３８の背後に形成された垂直軸の中に滑動可能に配置されている。トランスファアーム１８の一端が配置されている受け部４０を有するトランスファアーム支持部材３８は、水平方向に配置された円筒形のロッド４２によって滑動可能に支持されている。トランスファアーム１８の水平方向の位置及び移動は、ピボットアーム３４を中央軸３６を中心に選択的に回転させて、ピボットアーム３４の端部の横方向位置、ひいてはトランスファアーム支持部材３８の横方向位置を変化させることによって制御される。
【００２２】
図２の右側部分に示すように、分光光度計１０は、１対の歯付きギヤ５４、５６によって支持された位置決めベルト５２の片側に固定された往復台５０を有している。ギヤ５６は、モータ５８（図６）によって制御可能に駆動されて往復台５０を試薬試験片１４（図１）の長手に並行な方向に正確に移動させ、位置決めする回転駆動軸（図示せず）に固定されている。ギヤ５４、５６及びベルト５２の形態の位置決めシステムを示すが、他のタイプの位置決めシステム、たとえば、読取りヘッド６０、６２に固定された直線ギヤと係合する１個以上の丸いギヤ又は装置の直線位置を調節するように設計されたいかなるタイプの位置決めシステムを使用してもよい。
【００２３】
往復台５０は１対の読取りヘッド６０、６２を有している。読取りヘッド６０は、たとえば白熱灯の形態で設けることができる光源６４（図６）と、それぞれが異なる波長の光、たとえば赤、青、緑及び赤外線を検出するように設計された４個の光検出器６６ａ〜６６ｄの形態で設けることができる検出器６６とを含む。読取りヘッド６２は、白熱灯の形態で設けることができる光源６８（図６）と、それぞれが同じく異なる波長の光を検出するように設計された４個の光検出器７０ａ〜７０ｄの形態で設けることができる検出器７０とを含む。読取りヘッド６０、６２は、引用例として本明細書に含めるHowardらへの米国特許第５，６６１，５６３号明細書に開示されているように設計することもできるが、読取りヘッド６０、６２の特定の設計が本発明に必要であるとは思われない。光源６４、６８は白熱灯以外の光源であってもよく、検出器６６、７０は、一つの波長の光だけを検出するように設計されていてもよい。
【００２４】
図３は、試薬試験片送りトレー８０を示す、分光光度計１０の一部の斜視図である。送りトレー８０は、上に延びる１対の壁８２、８４を有している。壁８２の上部は、そこから延びる複数の突起８６を有し、壁８４の上部もまた、そこから延びる複数の突起８８を有している。突起８６、８８は、隣接する突起８６、８８の各対の間の空間が１枚の試薬試験片１４を収容することができるよう、試薬試験片１４の幅をわずかに上回る距離だけ離間している。図４を参照すると、送りトレー８０の突起８６、８８は、試薬試験片支持台２２に形成された１対のスロット９０、９２の中を上に延びることができる。
【００２５】
試薬試験片送りトレー８０は、図２及び３に示す位置決め機構１００によって支持されている。位置決め機構１００は、試薬試験片送りトレー８０を支持する支持台１０２と、中に形成された１対の長円形のスロット１０６、１０８を有する垂直部材１０４及びスロット１０６、１０８の中に配置された１対のモータ駆動アクチュエータ１１０、１１２を含む、支持台１０２を略円形の軌道で動かすための機構とを有している。引用例として本明細書に含める米国特許第４，６８９，２０２号明細書に開示されているように、アクチュエータ１１０、１１２の回転が垂直部材１０４及び支持台１０２を円形の軌道で動かす。
【００２６】
支持台１０２の動きが送りトレー８０を円形の軌道に動かし、それが一方で突起８６、８８を動かして、突起の間に配置された試薬試験片１４を分光光度計１０の中で周期的に右方向に移動又は割出しして、その結果、試薬試験片１４は、読取りヘッド６０の下方にある第一の試薬試験片検査位置に配置され、次に、読取りヘッド６２の下方にある第二の試薬試験片検査位置に配置される。
【００２７】
図４を参照すると、送りトレー８０が一つの円形軌道で動くとき、突起８６、８８は、試薬試験片支持台２２の中を上に延びながら左から右に移動し、それにより、各試薬試験片１４を試薬試験片位置一つ分だけ右に移動させる。円形の動きの後半の間に、突起８６、８８は下に引き込まれて、それらの上端が支持台２２の上面よりも下に配置され、その結果、それらは、試薬試験片１４を動かすことなく右から左に動くことができる。試薬試験片１４を受入れ区域１２からハウジング部１６の中の検査区域まで運び、検査区域の中で試薬試験片１４を運ぶためのシステムの特定の設計が本発明に必要であるとは思われず、他のタイプの運搬システムを使用してもよい。
【００２８】
電子部品
図５は、分光光度計１０のうち、試薬試験片受入れ区域１２における試薬試験片１４の自動検出に関連する電子部品及び他の部品のブロック図である。図５を参照すると、試薬試験片１４の自動検出は、すべてアドレス／データバス１３０を介して相互接続されている、マイクロプロセッサ１２２、ランダムアクセス記憶装置（ＲＡＭ）１２４、プログラム記憶装置１２６及び入出力（Ｉ／Ｏ）回路１２８を含む制御装置１２０によって制御される。
【００２９】
制御装置１２０は、デコーダ回路１４０を介して選択的にＬＥＤ３０ａ〜３０ｅに給電する。デコーダ回路は５個の駆動回路１４２ａ〜１４２ｅに接続されており、各駆動回路は、ＬＥＤ３０ａ〜３０ｅのそれぞれ１個をオンにするために接続されている。ＬＥＤ３０ａ〜３０ｅは、試薬試験片受入れ区域１２の別々の重複部分が順に照射されるよう、一度に１個ずつ周期的にオンにすることができる。
【００３０】
検出器３２ａ〜３２ｄは、受入れ区域１２の別々の重複部分からの光を検出するために配置されている。図５に示すように、これらの重複部分が一般に検出装置３２の視野を構成する。各検出器３２ａ〜３２ｄは、検出される光の量に対応する大きさを有する照射信号を発する。これらの照射信号それぞれは、プログラム可能な比較回路１４４に伝送され、この比較回路が、以下に記すように、各照射信号を８個のしきい値それぞれと比較して、試薬試験片１４が試薬試験片受入れ区域１２に存在するかどうかを決定する。しきい値は、ライン１４５を介して比較器１４４に伝送することができる。
【００３１】
比較器１４４は、対応する照射信号がその対応するしきい値よりも大きいかどうかに応じる値（すなわち論理「０」又は論理「１」）をそれぞれが有する８個の出力信号を生成する。これら８個の出力信号を、８個のＡＮＤゲート１４６ａ〜１４６ｈの形態にあることができる選択回路に提供して、出力信号のいくつかを動作可能にし、残りを動作不能にすることができる。一度にＬＥＤ３０ａ〜３０ｅの１個だけをオンにするため、デコーダ１４０の５個の出力のうち１個だけが起動され、すなわち論理「１」となる。これら５個の出力それぞれは、ＡＮＤゲート１４６ａ〜１４６ｈの１又は２個に伝送されて、ＡＮＤゲート１４６ａ〜１４６ｈの１又は２個を動作可能にし、残りを動作不能にする。
特に、デコーダ１４０の論理「０」出力は、それを印加されるＡＮＤゲートの出力をして論理「０」値をとらせ、それにより、そのようなＡＮＤゲートに印加された検出信号がＯＲゲートの出力を論理「１」（試薬試験片の検出を表す）にすることを防ぐ。たとえば、ＬＥＤ３０ａがオンになると、駆動回路１４２ａに接続された１個の論理「１」出力がＡＮＤゲート１４６ａ（検出器３２ａによって発される照射信号を受ける）を動作可能にし、デコーダ１４０の他の４個の論理「０」出力がＡＮＤゲート１４６ｂ〜１４６ｈを実質的に動作不能にする。
【００３２】
ＡＮＤゲート１４６ａ〜１４６ｈの出力信号はＯＲゲート１４８に伝送され、このＯＲゲートが、ＯＲゲート１４８への入力のいずれかが論理「１」であり、検出器３２ａ〜３２ｄによって発された照射信号の少なくとも１個がその対応するしきい値よりも大きいことを意味するならば、試験片検出信号を制御装置１２０に伝送する。
【００３３】
あるいはまた、回路部品１４４、１４６、１４８の機能は、別の回路によって実施してもよいし、制御装置１２０によって実行されるコンピュータプログラムの一部によって実施してもよい。
【００３４】
図６は、分光光度計１０のうち、ハウジング部１６の中の試薬試験片検査位置における試薬試験片１４の検査に関連する電子部品及び他の部品のブロック図である。図６を参照すると、試薬試験片１４の検査は、すべてアドレス／データバス１７０を介して相互接続されている、マイクロプロセッサ１６２、ランダムアクセス記憶装置（ＲＡＭ）１６４、プログラム記憶装置１６６及びＩ／Ｏ回路１６８を有する制御装置１６０によって制御される。
【００３５】
制御装置１６０は、駆動回路１８０を介して、ステッピングモータであってもよいモータ５８を選択的に駆動して、往復台５０を、各読取りヘッド６０、６２が二つの試薬試験片検査位置（１個又は２個の試薬試験片１４が存在することができる）のそれぞれ一方の上に配置されるように位置付けする。制御装置１６０は、駆動回路１８２を介して読取りヘッド６０、６２中の光源６４、６８を選択的にオンにし、これらの光源６４、６８がオンである間に８個の増幅器１８４ａ〜１８４ｄ、１８６ａ〜１８６ｄから照射信号を受ける。各増幅器は、検出器６６ａ〜６６ｄ、７０ａ〜７０ｄの１個から出力を受けるように接続されている。これらの照射信号はアナログ・デジタル（Ａ／Ｄ）変換器１９０に伝送され、この変換器がそれらをアナログ信号からデジタル信号に変換したのち制御装置１６０に伝送すると、制御装置が、それら関する信号をＲＡＭ１６４に記憶する。照射信号をＲＡＭ１６４に記憶することもできるし、あるいはまた、照射信号から導出される反射率信号をＲＡＭ１６４に記憶することもできる。
【００３６】
試薬試験片の自動検出
試薬試験片受入れ位置１２における試薬試験片１４の自動検出は、制御装置１２０のプログラム記憶装置１２６に記憶され、マイクロプロセッサ１２２（図５）によって実行されるコンピュータプログラムによって制御される。このようなコンピュータプログラムは、分光光度計１０がオンになるたびに実行される較正ルーチン２００（図７）と、試薬試験片受入れ区域１２中のいずれかの地点における試薬試験片１４の配置を検出するために周期的に実行される試験片検出ルーチン２４０（図８）と、試薬試験片１４が、試薬試験片受入れ位置１２と、ハウジング部１６の下に位置する試薬試験片検査区域との間に所定の位置に達したことを自動的に検出するソフトウェアルーチン２６０（図９）とを含む。
【００３７】
較正ルーチン
較正ルーチン２００の流れ図２００を図７に示す。このルーチン２００は、分光光度計１０がオンにされたときに実行されて、試薬試験片１４の検出において比較器１４４（図５）によって使用される８個のしきい値を決定する。図７を参照すると、多数の予備ステップ２０２、２０４、２０６、２０８を使用して、分光光度計１０から取り外すことができる試薬試験片支持台２２（図１及び４）が定位置にあり、トランスファアーム１８がホームポジションにあり、検出器３２ａ〜３２ｄ（図５）の視野の外にあることを確認することができる。
【００３８】
試薬試験片１４の存在を検出するために使用される４個の検出器３２ａ〜３２ｄによって生成される各照射信号が、ルーチン２００によって決定された１個又は２個のしきい値と比較される。発光装置３０の左端に配置されたＬＥＤ３０ａがオンになると、その隣接する検出器（すなわち検出器３２ａ）によって生成される信号がしきい値と比較される。同様に、発光装置３０の右端に配置されたＬＥＤ３０ｅがオンになると、その隣接する検出器（すなわち検出器３２ｄ）によって生成される信号がしきい値と比較される。
【００３９】
ＬＥＤ３０ａ及び３０ｅの間に位置するＬＥＤ３０ｂ〜３０ｄの１個がオンになると、給電されたＬＥＤに隣接して位置する２個の検出器によって生成される２個の信号がしきい値と比較される。たとえば、ＬＥＤ３０ｃがオンになると、検出器３２ｂによって生成される信号が第一のしきい値と比較され、検出器３２ｃによって生成される照射信号が第二のしきい値と比較される。これは、試薬試験片１４が、オンになったＬＥＤ３０ｃに対して二つの可能な位置、すなわち１）図５に実線で示す、オンになったＬＥＤ３０ｃと、その右側の検出器３２ｃとの間の第一の位置と、２）図５に点線で示す、オンになったＬＥＤ３０ｃと、その右側の検出器３２ｂとの間の第二の位置に存在することができるために実施される。試薬試験片１４は、第一の位置では検出器３２ｃによって最高に検出され、第二の位置では検出器３２ｂによって最高に検出される。
【００４０】
図７を参照すると、ステップ２１０、２１２、２１４、２１６、２１８、２２０、２２２及び２２４は、試薬試験片１４が受入れ区域１２に存在しない状態で実施されて、試薬試験片検出過程で使用される８個のしきい値を決定する。ステップ２１０で、次の（又は第一の）検出器しきい値を初期値、たとえば最大範囲の５０％にセットする。ステップ２１２で、対応するＬＥＤをオンにし、対応する検出器によって生成された照射信号を読み取り、ステップ２１４で、ＬＥＤをオフにする（ＬＥＤ３０ａ〜３０ｅは、非常に短い期間、たとえば１５マイクロ秒の間オンにすることができる）。
【００４１】
検出器読みがステップ２１６で決定したしきい値よりも大きいならば、ルーチンはステップ２１８に分岐し、そこで、しきい値をその現在値の半分だけ増大させる。そうでなければ、ルーチンはステップ２２０に分岐し、そこで、しきい値をその現在値の半分だけ減少させる。次に、ルーチンはステップ２２２に分岐し、現在のしきい値が最終決定されたかどうかを決定する。これは、たとえばステップ２１２、２１４、２１６、２１８、２２０を所定の回数、たとえば７回実行することによって達成することができる。
【００４２】
偶数ステップ２１２〜２２０の反復実行の効果は、しきい値を、試薬試験片１４の非存在で検出器によって生成される照射信号の大きさにほぼ等しくすることであることが理解されよう。
【００４３】
次にステップ２２４で、検出オフセットを、ステップ２１２〜２２２によって決定されたしきい値に加える。この検出オフセットは、試薬試験片１４の存在によって生成される、白であるか、比較的淡い色を有する照射信号と、比較的暗い色を有する、試薬試験片支持台２２の色との差に基づく。ステップ２２６で、８個のしきい値すべてがセットされてはいないならば、ルーチンは分岐してステップ２１０に戻り、次のしきい値をセットする。
【００４４】
上記ルーチンで、８個のしきい値は、次のようにして、ＬＥＤ３０ａ〜３０ｅをオンにし、それらの対応する検出器３２ａ〜３２ｄを読み取ることによってセットされる。１）ＬＥＤ３０ａをオンにし、検出器３２ａを読み取り、２）ＬＥＤ３０ｂをオンにし、検出器３２ａを読み取り、３）ＬＥＤ３０ｂをオンにし、検出器３２ｂを読み取り、４）ＬＥＤ３０ｃをオンにし、検出器３２ｂを読み取り、５）ＬＥＤ３０ｃをオンにし、検出器３２ｃを読み取り、６）ＬＥＤ３０ｄをオンにし、検出器３２ｃを読み取り、７）ＬＥＤ３０ｄをオンにし、検出器３２ｄを読み取り、８）ＬＥＤ３０ｅをオンにし、検出器３２ｄを読み取る。分光光度計１０を較正する特定の方法を上述したが、この特定の方法が本発明に必要であるとは考えられず、他の方法（又は無較正方法）を使用してもよい。
【００４５】
試験片検出ルーチン
図８は、周期的に、たとえば１００ミリ秒ごとに１回実行されて、試薬試験片１４が試薬試験片受入れ区域１２に配置されているかどうかを決定する試験片検出ルーチン２４０の流れ図である。
【００４６】
図８を参照すると、予備ステップ２４２、２４４、２４６を実行して、分光光度計１０が試薬試験片１４の存在を探索する時間を制限することができる。分光光度計がその実行モードにあるとき、分光光度計１０は、その動作に関連する所定のサイクル時間（たとえば７秒間）を有する。ステップ２４２で、分光光度計１０が実行モードにない、すなわち、そのサイクル時間にしたがって動作していないならば、ルーチンはステップ２４６に分岐する。分光光度計１０がその実行モードにあるならば、ルーチンはステップ２４４に分岐し、そこで、分光光度計１０が、サイクル時間のうち、試薬試験片１４の存在を検査するのに適当である所定の正しい部分にあるかどうかを決定する。この正しいサイクル時間は、トランスファアーム１８がおそらくは動いていない期間（動いているトランスファアーム１８は試薬試験片１４と間違われるおそれがある）を含むことができ、他の期間、たとえば、ユーザが試薬試験片１４を受入れ位置１２に配置するのに十分な期間を許さないであろう、サイクルの後寄り期間を除外することができる。ステップ２４６でトランスファアーム１８が動いていると判断されるならば、動いているトランスファアーム１８は試薬試験片１４と間違われるおそれがあるため、ルーチンは、試薬試験片１４の存在を検査しないまま終了する。
【００４７】
ステップ２４８で、ＬＥＤ３０ａ〜３０ｅの次の（又は第一の）１個がオンになると、そのＬＥＤに対応する検出器３２ａ〜３２ｄの１個又は２個を読み取り（上記のような電子部品によって）、ＬＥＤをオフにする。ステップ２５０で、検出器によって生成された照射信号が対応するしきい値よりも大きい（上記のＯＲ回路１４８によって生成される、ライン１５０上の検出信号による判定で）、すなわち、試薬試験片１４が検出されたならば、ルーチンはステップ２５２に分岐し、そこで、フラグを立てたのち、トランスファアーム１８を図１の左から右に自動的に動かして、試薬試験片１４を試薬試験片受入れ区域１２からハウジング部１６の中に位置する検査区域に移す。試薬試験片１４が検出されないならば、ルーチンは単に終了する。
【００４８】
ルーチン２４０が実行されるたび、ＬＥＤ３０ａ〜３０ｅの続く１個がオンになり、１個又は２個の隣接する検出器３２が読み取られて、試薬試験片１４が存在するかどうかが判定される。
【００４９】
試験片位置検出ルーチン
図９は、試薬試験片１４が受入れ区域１２からハウジング部１６の中の検査区域に移されるときに試薬試験片１４を検出するために実行することができる試薬試験片位置検出ルーチン２６０の流れ図である。位置検出ルーチン２６０は、トランスファアーム１８が動いている間、周期的（たとえば３ミリ秒ごと）に実行される。トランスファアーム１８は、受入れ区域１２における試薬試験片１４の早期検出に応答してのみ動くように設計されているため、ルーチン２６０は、動くトランスファアーム１８の右側における試薬試験片１４の存在、ひいては、たとえば検出器３２ａ〜３２ｄの１個の正面の人の手の一時的な存在の意図しない検出とは違い、試薬試験片１４の存在がトランスファアーム１８を動かし始めたことを確認するように働く。
【００５０】
図９を参照すると、ステップ２６２で、トランスファアーム１８が、受入れ区域１２の右端に隣接して位置するホームポジションにあるならば（従来のホームセンサによって判定することができる）、ステップ２６４、２６６、２６８を実行して試薬試験片１４が存在するかどうかを判定する。ステップ２６４で、一番右のＬＥＤ３０ｅをオンにし、一番右の検出器３２ｄを読み取り、ＬＥＤ３０ｅをオフにする。ステップ２６６で、試薬試験片１４が検出されるならば（照射信号と対応するしきい値との比較に基づいて）、ルーチンはステップ２６８に分岐し、そこで、フラグを立てて試薬試験片１４が検出されたことを示し、それにより、試薬試験片１４の存在を確認する。トランスファアーム１８がホームポジションにあるときルーチン２６０を所定の回数実行した後で試験片検出フラグが立てられていないということは、トランスファアーム１８を動かした試薬試験片１４の初期検出が誤りであったことを分光光度計１０に示す。
【００５１】
検出後の試薬試験片の検査
分光光度計１０の作動中、試薬試験片１４は、操作者によって一度に１個ずつ連続的に受入れ位置１２に配置することができ、そのような試薬試験片１４は、ハウジング部の中に自動的に移されて、二つの検査位置の一方又は両方で読取りヘッド６０、６２によって光学的に検査される。図６に示すように、検査位置の一方は読取りヘッド６０とまっすぐ並び、他方の検査位置は読取りヘッド６２とまっすぐ並ぶ。
【００５２】
試薬試験片１４の検査は、制御装置１６０（図６）のプログラム記憶装置１６６に記憶され、マイクロプロセッサ１６２によって実行されるコンピュータプログラムによって制御される。このコンピュータプログラムは、分光光度計１０の作動中に実行される主ルーチン３００（図１０）と、読取りヘッド６０、６２を既知の色の１対の較正チップの上に配置するために周期的に実行される位置初期化ルーチン３１０と、読取りヘッド６０、６２が較正チップの上に配置されているとき周期的に実行される較正ルーチン３２０と、検査位置にある試薬試験片１４の試薬パッド２６を検査するために実行される読取りルーチン３３０とを含む。
【００５３】
主ルーチン
図１０に示す主ルーチン３００の流れ図を参照すると、ステップ３０２での判定で、二つの検査位置のいずれにも試薬試験片１４がないならば、ルーチンは終了する。試薬試験片１４がトランスファーアーム１８によって供給されるときの試薬試験片１４の位置は制御装置１６０によって追跡することができるため、二つの検査位置のいずれかにおける試薬試験片１４の存在は、制御装置１６０によって判定することができる。
【００５４】
検査位置の一方又は両方に試薬試験片１４があるならば、読取りヘッド６０、６２を較正チップの中央に移動させる初期化ルーチン３１０が実行される。そして、較正ルーチン３２０を実行して、読取りヘッド６０、６２の検出器６６ａ〜６６ｄ及び７０ａ〜７０ｄを較正すると、読取りルーチン３３０が、各試薬パッド２６が光源６４、６８の１個によって照射される間に検出器６６ａ〜６６ｄ、７０ａ〜７０ｄによって生成された照射信号を読み取ることにより、検査位置にある各試薬試験片１４の長手に沿って設けられた試薬パッド２６を次々に検査する。
【００５５】
図１３に関して以下に記載するように、読取りヘッド６０、６２の検出器６６ａ〜６６ｄ、７０ａ〜７０ｄが非常に近い間隔、たとえば０．０１７インチ（０．０４３cm）ごとで読み取られる。試薬試験片１４上の各試薬パッド２６の幅は０．０４３cmよりも相当に広いため、試薬パッド２６ごとに多数の検出器読みが生成される。
【００５６】
ステップ３３２を実行して、どの検出器読みを使用するのかを選択することができる。検出器読みは、たとえば、どの検出器読みが各試薬パッド２６の略中心から得られたのかを判断することによって選択することができる。これは、試薬試験片１４の縦方向端部の位置を検出したのち（検出器６６ａ〜６６ｄが比較的暗い台２２から比較的明るい試薬試験片１４に移動するために反射率信号が増大するとき）、試薬試験片１４の端部からの所定の距離（試薬パッド２６の既知の幅及び間隔に基づく）に対応する検出器読みだけを選択することによって達成することができる。
【００５７】
ステップ３３４を実行すると、検出器読みの未加工データを、図１２に関して以下に記載する暗値及び較正値を考慮しながら、反射率データに変換することができる。たとえば、反射率計算値（「Reflectcalc」）は、次式にしたがって決定することができる。
【００５８】
Reflectcalc＝反射率％×（試薬値−暗値）／（較正値−暗値）
ただし、「反射率％」は、較正チップの既知の反射率であり、「試薬値」は、試薬パッド２６の未加工検出器読みであり、「暗値」及び「較正値」は、図１２に関して以下に記載する暗値及び較正値である。
【００５９】
位置初期化ルーチン
位置初期化ルーチン３１０（図１１）の目的は、読取りヘッド６０、６２の検出器６６ａ〜６６ｄ、７０ａ〜７０ｄを、試薬試験片支持台２２の上に設けられた既知の色の１対の較正チップ（図示せず）の中央にそれぞれ配置されるように位置決めすることである。
【００６０】
図１１を参照すると、位置初期化ルーチン３１０は、清浄目的のために分光光度計１０から取り外すことができる試薬試験片支持台２２が定位置にあるかどうかを判定するステップ３４０をもって開始する。定位置にないならば、ステップ３４２でエラーフラグを立て、ルーチンは終了する。台２２が定位置にあるならば、ルーチンはステップ３４４に分岐し、そこで読取りヘッド６０、６２の光源６４、６８をオンにし、所定の期間（たとえば０．５秒）待ち、赤外線（ＩＲ）を検出する検出器を制御装置１６０（図６）によってＡ／Ｄ変換器１９０を介して読み取る。
【００６１】
偶数ステップ３４６〜３６０の目的は、読取りヘッド６０、６２を、検出器６６ａ〜６６ｄ、７０ａ〜７０ｄが、試薬試験片支持台２２の周囲区域に比べて比較的淡い色であるそれぞれの較正チップ（図示せず）の中央に配置されるように位置付けることである。したがって、検出器６６ａ〜６６ｄが較正チップの上に配置されると、検出器６６ａ〜６６ｄ、７０ａ〜７０ｄによって生成される信号によって表される反射率は比較的大きくなり、たとえば５０％を超える。
【００６２】
ルーチン３１０が開始すると、読取りヘッド６０、６２の検出器６６ａ〜６６ｄ、７０ａ〜７０ｄが較正チップ上のどこかに配置される。それぞれの較正チップの中央への検出器６６ａ〜６６ｄ、７０ａ〜７０ｄの正確な配置は、読取りヘッド６０、６２を、較正チップの縁を越えるまで（反射率が低下して所定値、たとえば５０％未満になったときステップ３４６で検出される）一方向に動かすステップ３４６及び３４８と、読取りヘッド６０、６２を、較正チップの同じ縁を越えるまで（反射率が増大して所定値、たとえば５０％を超えたとき検出される）反対方向に戻すステップ３５０及び３５２と、読取りヘッド６０、６２を同じ方向に所定の距離（較正チップの長さの半分に対応する）だけ動かして、検出器６６ａ〜６６ｄ、７０ａ〜７０ｄを較正チップの中央の真上に配置するステップ３５４とによって実施される。
【００６３】
ステップ３５６がエラー状態（読取りヘッド６０、６２を所定の距離だけ動かしても較正チップの縁を検出できなかった）をチェックし、エラーが存在するならば、ステップ３５８でエラーフラグを立て、ステップ３６０で、ステップ３４４でオンにした光源６４、６８をオフにする。
【００６４】
上記の位置決めルーチンを使用するならば、読取りヘッド６０、６２の一方だけを較正チップの一方に対して配置し、他方の読取りヘッドもまたその較正チップの上に正しく位置すると推定する（読取りヘッド６０、６２は互いに対して固定され、較正チップもまた互いに対して固定されているため）ことにより、変更を加えてもよい。
【００６５】
較正ルーチン
較正ルーチン３２０（図１２）は、読取りヘッド６０、６２の検出器６６ａ〜６６ｄ、７０ａ〜７０ｄが上記のようにして較正チップの中央の上に配置された後で実行される。図１２を参照すると、ステップ３７０で、光源６４、６８がオフの状態で検出器６６ａ〜６６ｄ、７０ａ〜７０ｄを読み取る。ステップ３７２で、光源６４、６８をオンにし、ステップ３７４で、光源６４、６８がオンの状態で検出器６６ａ〜６６ｄ、７０ａ〜７０ｄを読み取る。
【００６６】
ステップ３７６での判定で、ステップ３７０及び３７４で得た検出器読みが適当ならば（たとえば予想範囲内であるならば）、ルーチンはステップ３７８に分岐し、そこで読みを記憶装置に記憶する。光源６４、６８がオフの状態で検出器６６ａ〜６６ｄ、７０ａ〜７０ｄによって発される信号の大きさを「暗値」と呼び、光源６４、６８がオンの状態で検出器６６ａ〜６６ｄ、７０ａ〜７０ｄによって発される信号の大きさを「較正値」と呼ぶ。ステップ３７６での判定で検出器読みが受け入れられないならば、ルーチンはステップ３８０に分岐し、そこでエラーフラグを立てる。
【００６７】
試験片読取りルーチン
上述したようにして暗値及び較正値が決定された後、読取りヘッド６０、６２は、二つの検査位置に配置された試薬試験片１４の長手に対して並行な方向に動かされ、その結果、検出器６６ａ〜６６ｄが、各試薬試験片１４の長手に沿って設けられた試薬パッド２６ごとに照射信号を発する。
【００６８】
この過程は、上述した読取りヘッド位置決めシステムに使用されるモータ５８が、平滑な作動を維持するためには明確に画定された間隔での周期的入力を要するステッピングモータである場合に使用することができる、図１３に関連して以下に記載する具体的な方法で達成することができる。図１３の方法は、読取りヘッド６０、６２が所定の距離、たとえば０．０１７インチ（０．０４３cm）動くたび、読取りヘッド６０、６２のそれぞれに一セットの検出器読みを取る。
【００６９】
図１３を参照すると、ステップ３９０で、読取りヘッド６０、６２を動かし始め、定常状態速度に達すると、ステップ３９２で、読取りヘッド６０の４個の検出器６６ａ〜６６ｄのうち２個を読み取り、信号を記憶装置に記憶する。ステップ３９４で、別の駆動信号をモータ５８に伝送して、読取りヘッド６０、６２を駆動してそれらを動かし続ける。ステップ３９６で、読取りヘッド６０の検出器６６ａ〜６６ｄの他２個を読み取り、信号を記憶装置に記憶し、ステップ３９８で、別の駆動信号をモータ５８に伝送して、読取りヘッド６０、６２を動かし続ける。偶数ステップ４００〜４０６は、読取りヘッド６２の検出器７０ａ〜７０ｄを読み取り、対応する信号を記憶装置に記憶し、読取りヘッド６０、６２のモータ５８を駆動するために実行される。
【００７０】
ステップ４０８で、所望の読みのすべてが取得されてはいないならば（読取りルーチン３３０の間に読取りヘッド６０、６２が移動した距離を追跡することによって判定することができる）、ルーチンは分岐してステップ３９２に戻り、別の検出器読みを取得する。すべての読みを取得したならば、ルーチンはステップ４１０に分岐し、そこで光源６４、６８をオフにしたのちステップ４１２に進み、そこで読取りヘッド６０、６２を開始位置（較正チップの上の位置）に戻す。
【００７１】
図１３に関連して記載した、検出器読みを生成する具体的な方法が本発明に必須であるとは考えられず、検出器読みを生成する他の方法を利用してもよい。
【００７２】
前記を考慮すると、本発明の数多くの他の変形及び代替態様が当業者に明らかになるであろう。この記載は、例を示すものとして解釈されなければならず、本発明を実施する最良の形態を当業者に教示することを目的とする。発明の真髄を逸することなく、構造及び方法の詳細を実質的に変形することもでき、請求の範囲に該当するすべての変形の独占使用は留保される。
【図面の簡単な説明】
【図１】試薬試験片上に付された体液のサンプルの種々の試験を実施するために使用することができる分光光度計の斜視図である。
【図２】図１の分光光度計の内部機械部分の斜視図である。
【図３】図１の分光光度計の内部機械部分の斜視図である。
【図４】図３で斜めに示す試薬試験片トレーの平面図である。
【図５】図１の分光光度計の第一の電子部のブロック図である。
【図６】図１の分光光度計の第二の電子部のブロック図である。
【図７】分光光度計の作動中に実行される較正ソフトウェアルーチンの流れ図である。
【図８】分光光度計の作動中に実行される試験片検出ソフトウェアルーチンの流れ図である。
【図９】分光光度計の作動中に実行される試験片位置検出ソフトウェアルーチンの流れ図である。
【図１０】分光光度計の作動中に実行される主ソフトウェアルーチンの流れ図である。
【図１１】分光光度計の作動中に実行される初期化ソフトウェアルーチンの流れ図である。
【図１２】分光光度計の作動中に実行される較正ソフトウェアルーチンの流れ図である。
【図１３】分光光度計の作動中に実行される読取りソフトウェアルーチンの流れ図である。
【符号の説明】
１２  試薬試験片受入れ区域
１４  試薬試験片
１８  横移動アーム
３０  発光装置
３２  検出装置
６４、６８  光源
６６、７０  検出器
１８、８０  運搬システム
１２０、１４４、１４８  回路
１２２  マイクロプロセッサ
１６０  制御装置
１６４  記憶装置
【図１】
0004503121.tif 000002
【図２】
0004503121.tif 000003
【図３】
0004503121.tif 000004
【図４】
0004503121.tif 000005
【図５】
0004503121.tif 000006
【図６】
0004503121.tif 000007
【図７】
0004503121.tif 000008
【図８】
0004503121.tif 000009
【図９】
0004503121.tif 000010
【図１０】
0004503121.tif 000011
【図１１】
0004503121.tif 000012
【図１２】
0004503121.tif 000013
【図１３】
0004503121.tif 000014